(57)【要約】【課題】本発明は、特に引出し（２２）のための収納箱（２１）用の傾斜調節装置に関する。【解決手段】  本装置は、傾斜装置（１０）が収納箱（２１）を傾斜させる際に利用する第１接触点（１）と、傾斜装置（１０）の第１調節部材（１２、１２’および１２’’）によって高さが調節可能な第２接触点（２）とを含んでおり、傾斜装置（１０）は、傾斜装置（１０）の別な第２調節部材（１３、１３’）によって高さが調節可能な少なくとも一つの追加の第３接触点（３）を含んでいる。【選択図】  図５
2013518625.tif 000002
【特許請求の範囲】
【請求項１】
引出しのための収納箱（２１）用の調節可能な傾斜装置（１０）であって、
本傾斜装置（１０）が前記収納箱（２１）を傾斜させる際に利用する第１接触点（１）と、
本傾斜装置（１０）の第１調節部材（１２、１２’および１２’’）によって高さが調節可能な第２接触点とを含んでおり、
本傾斜装置（１０）は、本傾斜装置（１０）の別な第２調節部材（１３と１３’）によって高さが調節可能な少なくとも一つの追加の第３接触点（３）を有していることを特徴とする傾斜装置。
【請求項２】
前記第３接触点（３）は、前記第１接触点（１）と前記第２接触点（２）との間に配置されていることを特徴とする請求項１記載の傾斜装置。
【請求項３】
前記接触点（１、２、３）は、平面内で本傾斜装置（１０）の少なくとも二つの、好適には複数の調節可能な位置、好適には実質的に直線上に配置されていることを特徴とする請求項１または２記載の傾斜装置。
【請求項４】
前記第３接触点（３）の高さは、本傾斜装置（１０）によって、前記第２接触点（２）の高さに比例して調節可能であることを特徴とする請求項１から３のいずれかに記載の傾斜装置。
【請求項５】
前記第３接触点（３）を形成する部材（５、６）は、剛体であることを特徴とする請求項１から４のいずれかに記載の傾斜装置。
【請求項６】
前記第３接触点（３）を形成する、好適には調節部材（１３）である少なくとも一つの前記部材（６）は、実質的にはくさび型形状であることを特徴とする請求項１から５のいずれかに記載の傾斜装置。
【請求項７】
少なくとも部分的に、第２接触点（２）を形成する、本傾斜装置（１０）の前記第１調節部材（１２、１２’および１２’’）と、
少なくとも部分的に第３接触点（３）を形成する本傾斜装置（１０）の前記第２調節部材（１３、１３’）は、
互いに相対する作用力伝達接続部（１１）を有することを特徴とする請求項１から６のいずれかに記載の傾斜装置。
【請求項８】
本傾斜装置（１０）は、好適にはほぼ全体的に、前記収納箱（２１）上に提供されていることを特徴とする請求項１から７のいずれかに記載の傾斜装置。
【請求項９】
前記収納箱（２１）は、引出し（２２）により構成され、
本傾斜装置（１０）は、レールシステム（２３）の引出しレール（２４）の好適には平坦である上側において、間隔をあけて複数の位置で支持されていることを特徴とする請求項８記載の傾斜装置。
【請求項１０】
本傾斜装置（１０）は、前記収納箱（２１）用の傾斜安定手段（８）を有することを特徴とする請求項１から９のいずれかに記載の傾斜装置。
【請求項１１】
前記傾斜安定手段（８）は、好適にはほぼ全体的に、本傾斜装置（１０）の調節部材（１４）上に提供されていることを特徴とする請求項１０記載の傾斜装置。
【請求項１２】
本傾斜装置（１０）は、本傾斜装置（１０）を駆動させるための少なくとも一つの駆動装置（９）を有しており、
前記第３接触点（３）の高さと前記第２接触点（２）の高さは同時に、好適には工具を使用せずに、前記駆動装置（９）により調節可能であることを特徴とする請求項１から１１のいずれかに記載の傾斜装置。
【請求項１３】
前記第１接触点（１）を形成する少なくとも一つの部材（７）は、実質的にくさび型形状であることを特徴とする請求項１から１２のいずれかに記載の傾斜装置。
【請求項１４】
２つの本傾斜装置（１０）を含んだ引出し（２２）であって、
該２つの傾斜装置（１０）は、請求項１から１３に記載に示す前記引出し（２２）の異なる側面に、それぞれ配置されていることを特徴とする引出し（２２）。
【請求項１５】
請求項１４に記載の引出し（２２）を少なくとも一つ含んだ家具。
【発明の詳細な説明】
【技術分野】
【０００１】
本発明は、特に引出し用である収納箱用の調節可能な傾斜装置に関する。
【０００２】
この装置は、それによって傾斜装置が収納箱を傾斜させる第１接触点と、傾斜装置の第1調節部材によって高さが調節できる第２接触点とを含んでいる。
【０００３】
さらに本発明は、そのような傾斜装置を含んだ引出しと、そのような引出しを含んだ家具にも関する。
【背景技術】
【０００４】
引出し用のその種の調節可能な傾斜装置はすでに多数が知られている。例えば、２００２年５月２７日付けのオーストリア特許出願公開第４０９  ０６７  Ｂは、枠体側レールと、引出し側延出レールとを引き出しの２つの側部に有する引出し用の延出ガイドを開示している。それらの後方端には、取り付け状態では引出しの開口部内に突き出る水平保持突出部を有するフックを備えた延出レールが提供されている。保持突出部または保持突出部を備えたフックの位置は、延出レール上で垂直方向に調節可能である。この構造で、引出しはその領域で上下可能であり、引出しの前方パネルの傾斜が提供される。この構造で、引出し、または引出しの前方パネルは家具内で整列される。
【先行技術文献】
【特許文献】
【０００５】
【特許文献１】オーストリア特許出願公開第４０９  ０６７  Ｂ号公報
【発明の概要】
【発明が解決しようとする課題】
【０００６】
本発明の目的は、従来技術に勝る改良された収納箱用の調節可能な傾斜装置の提供である。
【課題を解決するための手段】
【０００７】
本発明の傾斜装置では、その目的は、傾斜装置のさらなる第２調節部材によって高さが調節可能な少なくとも一つの追加の第３接触点を有する傾斜装置により達成される。
【０００８】
このように、追加の接触点を使用することで、引出しはその点で平等に支持され、さらに安定した運搬構造体が創出され、この構造で、力学作用が２つの点ではなく、３つの点に配分される。追加の接触点は高さが調節できるので、傾斜装置のそれぞれの調節可能な角度にて有利な力の配分が提供される。この構造で、収納箱の第３接触点における屈曲を防止することができる。
【０００９】
本発明の別な有利な実施例は「請求の範囲」において定義されている。
【００１０】
第３接触点が第１接触点と第２接触点との間に配置されると特に有利であることが証明されている。この構造で、３つの接触点への力の最適な配分が達成され、第３接触点がその他の２つの接触点の間のほぼ中央に配置されていると特に有利である。
【００１１】
好適実施態様では、接触点は少なくとも２つの（好適には複数の）平面における傾斜装置の調節可能な位置（好適にはほぼ一直線上）に配置されている。これにより収納箱の下側もまた平面上となり、よって屈曲変形が防止できる。
【００１２】
第３接触点の高さが、傾斜装置によって、第２接触点の高さに対して比例関係で調節可能であることがさらに好適である。この構造で、傾斜装置がどの位置にあっても、接触点で収納箱の屈曲変形を発生させないことが可能となる。
【００１３】
第３接触点を形成する部材は剛質であることが特に有利であることが証明されている。第３接触点での、非弾性、すなわち剛性（剛体）の部材は、第３の点がその高さを荷重時に変えないため、収納箱の屈曲変形が防止される。これはさらに力の配分を全ての接触点で確実に均一にする。
【００１４】
少なくとも一つの部材、好適には第３接触点を形成する調節部材が実質的にくさび型形状であることが特に好適である。この調節部材のくさび型形状では、傾斜装置による傾斜角度は均一でほぼ無段調節である。
【００１５】
この点で、少なくとも部分的に第２接触点を形成する、傾斜装置の第１調節部材と、少なくとも部分的に第３接触点を形成する、傾斜装置の第２部材が互いに力伝達接続部を有すると有利であることが証明されている。この構造で、２つの調節可能な接触点の高さは同時的または均一に変更できる。
【００１６】
好適実施態様では、傾斜装置は、好適には実質的に完全に、収納箱上に提供される。収納箱への実装の観点からは、これは、そのようにすることで提供され、従来技術に属するレールシステムを利用できるので、有利である。傾斜装置を部分的に収納箱上に提供し、部分的にレールシステムに提供するか、あるいは全体的にレールシステム上に提供することも可能であることは理解できるであろう。
【００１７】
傾斜装置が、間隔を開けて、好適には平坦である、レールシステムの引出しレールの上側で支持されると有利であることがさらに証明されている。引出しレールの平坦な上側での傾斜の調節は、それらがいずれの場合においても商業的に入手可能な引出しレールに容易にアクセスでき、間隔を開けることが容易であるため、容易に実行可能である
【００１８】
傾斜装置が収納箱のための傾斜安定手段を有することはさらに好適であり、それによって収納箱は、特に引き出しレールシステムの場合、そこから解放されない。
【００１９】
傾斜安定手段は、好適には実質的に完全に、傾斜装置の調節部材上に提供されていることがさらに望ましい。この構造で、傾斜安定手段は、傾斜装置のどのように調節された角度でも作動可能である。
【００２０】
考えられる実施例では、傾斜装置は傾斜装置を駆動させるための少なくとも一つの駆動装置を有しており、第３接触点の高さと第２接触点の高さは駆動装置で同時に、好適には工具無しで調節可能である。
【００２１】
１好適実施態様では、実質的にくさび型形状の第１接触点を形成する少なくとも一つの部材が提供され、接触点と衝突しない、レールシステムへの引出しの簡単な挿入が可能である。
【００２２】
本発明は、傾斜装置、特に２つの傾斜装置を含んだ引出しにも関し、それら２つの傾斜装置は、請求項１から１３のいずれかに記載されているように、引出しの異なる側に配置されている。
【００２３】
本発明は、請求項１４記載の少なくとも一つの引出しを含んだ家具にも関する。
本発明のさらなる詳細や利点は、図面において示されている実施例に関連して以下にてさらに詳細に説明する。
【図面の簡単な説明】
【００２４】
【図１】傾斜装置の分解斜視図である。
【図２】９０度回転させた、図１の傾斜装置の分解斜視図である。
【図３】傾斜装置の斜視図である。
【図４】駆動装置を備えた傾斜装置の斜視図である。
【図５】中央位置に傾斜装置を備えた引出しの断面側面図である。
【図６】第１位置に傾斜装置を備えた引出しの断面側面図である。
【図７】第２位置に傾斜装置を備えた引出しの断面側面図である。
【図８】レールシステム上に傾斜装置を備えた引出しの斜視図である。
【図９】従来技術による引出しとレールシステムとを備えた家具の斜視断面図である。
【図１０】調節された前方パネルを備えた家具の斜視図である。
【発明を実施するための形態】
【００２５】
図１は調節可能な傾斜装置１０の分解斜視図である。これは、くさび型部材７で形成された、第１接触点１（図示せず）と、第２接触点の第１調節部材１２、１２’、１２’’と、第３接触点３の第２調節部材１３と、１３’とによって形成された、２つの調節可能な接触点２と３（図示せず）とを有している。この場合、第３接触点３の部材である調節部材１３はくさび型形状である。本実施例の第２接触点２の第１調節部材１２、１２’、１２’’は、２つの調節部材１２’、１２’’のスロット内で可動に配置されたピンの形態である。高さが調節できる２つの接触点２と３は作用力伝達接続部１１によって接続されている。第３接触点３（図示せず）の第２つの部材５と６は非弾性であるので、引出し２２による作用力によって第３接触点の高さの変化を防止している。
【００２６】
図２は図１の分解斜視図を９０度回転させたものである。調節可能な傾斜装置１０の下側には、非弾性の第３接触点３（図示せず）の部材５が示されている。第１接触点（図示せず）を形成するくさび型部材７も図示されている。傾斜装置１０の作用力伝達接続部１１には、引き出された引出し２２が、家具２０（共に図示せず）から傾斜して抜け出るのを防止する傾斜安定手段８が提供されている。この点で、本実施例ではU形状である傾斜安定部材８がレールシステム２３（図示せず）内に配置されている。この場合、傾斜装置１０の第１調節部材１２、１２’および１２’’は同様に接触点２（図示せず）を形成し、この実施例ではピンの形態である第１調節部材１２は、溝の形態である第１調節部材１２’と１２’’に対応し、その中で移動可能に取り付けられている。
【００２７】
図３は、第１接触点１および第２接触点２と、第１接触点１と第２接触点２との間の第３接触点を有する組み立てられた傾斜装置の斜視図である。
【００２８】
この場合、調節可能な第２接触点２の高さは、第１の相互対応調節部材１２、１２’および１２’’によって形成される。
【００２９】
この場合、第３接触点３の高さは、第２の相互対応調節部材１３、１３’および１３’’によって形成され、この場合、第２調節部材１３はくさび型形状である。
【００３０】
ここで示す傾斜装置１０は、ピンで作られている第１調節部材１２が第１調節部材１２’と１２’’内のスロットの中央に存在する、中央位置に配置されている。この位置で、第３接触点３の第２調節部材１３と１３’もまたそれらの中央位置に存在し、第２調節部材１３’は、くさび型の第２調節部材１３の中央領域に到達している。
【００３１】
くさび型形状の第２調節部材１３の傾斜と、第２調節部材１２’と１２’’のスロットの傾斜は、駆動装置９（図示せず）を備えた傾斜装置１０の調節が２つの接触点２と３の高さの比例的変化を発生させるように選択される。この点で、調節可能な接触点２と３が、作用力ロック接続部１１によって互いに対応するので、高さの変化は同時に発生する。
【００３２】
この場合、第１接触点１の高さは変化しないままである。
【００３３】
接触点１、２および３は平面上に直線上に並んでいる。
【００３４】
図４は図示の駆動装置９を備えた傾斜装置１０の一部を示している。この実施例では、駆動装置９は、第２接触点２の第１調節部材１２と、第３接触点３の第２調節部材１３（接触点は図示していない）とを接続する作用力伝達接続部１１に提供されている。この構造で、高さが調節できる接触点２と３を一つの駆動装置９だけで同時に調節できる。
【００３５】
引出し２２（図示せず）がレールシステム２３（図示せず）から抜け出るのを防止する傾斜安定手段８は、ここでは傾斜装置１０の調節部材１４上に配置されており、よって傾斜安定手段８もまた傾斜装置１０と共に移動する。
【００３６】
駆動装置９は全く工具無しで利用可能である。
【００３７】
図５は、本実施例では引出し２２である収納箱２１が内部に存在する家具２０（図示せず）の断面を示している。この場合、引出し２２はレールシステム２３の引出しレール２４上に配置されている。傾斜装置１０は引出し２２と引出しレール２４との間に配置されている。傾斜装置１０は３つの接触点１、２および３を有する。この構造体では、接触点１は位置が変化（高さの点で）しないが、接触点２と３は傾斜装置１０によって高さが変化する。
【００３８】
図示の実施例では、第２接触点２の第１調節部材１２、１２’および１２’’は、ピン形状の調節部材１２が第１調節部材１２’と１２’’の２つのスロットの中央に存在するように配置されているので、傾斜装置１０はその中央位置（中立位置）に存在している（詳細図Ｃ）。
【００３９】
傾斜装置１０の第２調節部材１３と１３’によって形成される第３接触点もまたその中央位置に存在し、第２調節部材１３’はくさび型形状の第２調節部材１３の中央領域に存在する（詳細図Ｄ）。
【００４０】
この場合、引出し２２の前方パネル２５は家具枠体２６に平行に配置されている。
【００４１】
この図から、接触点１、２および３は平面で中央位置に配置されていることが分かる（詳細図ＣからＥでは非図示）。これは、図６と図７から分かるように、傾斜装置１０のその他の全ての調節位置でも同様である（傾斜装置１０の２つの最大位置）。
【００４２】
第３接触点の高さは、駆動装置９（ここでは図示せず）を利用した傾斜装置１０によって、第２接触点２の高さに比例して調節される。
【００４３】
この場合、第１接触点１の高さは変化しないままである（詳細図Ｅ）。
【００４４】
本実施例では、傾斜装置１０は全体的に箱２１上（すなわち引出し２２上）に提供されている。傾斜装置１０をレールシステム２３上に提供すること、あるいは傾斜装置１０の一部を収納箱２１上に提供し、別の部分をそのレールシステム２３または引出しレール２４上に提供することも考えられることは理解できよう。
【００４５】
水平に延伸可能な引出し２２（収納箱２１）は傾斜装置１０によってレールシステム２３上で高さすなわち垂直方向に調節できる。
【００４６】
図６は、図５で説明したように、レールシステム２３上のさらに正確に言えば引出しレール２４上の家具２０（図示せず）の引出し２２を図示している。傾斜装置１０は引出し２２と引出しレール２４との間に配置されている。第２接触点３に関連して理解できるように、高さが調節できる接触点２と３はそれらの最低位置（最小の高さ）にある。すなわち、第２調節部材１３’（非弾性部材５）は第２調節部材１３（くさび型部材６）の最も低い端部に存在する（詳細図Ｄ）。
【００４７】
この状況は、高さが調節できる第２接触点２でも同様であり、この点で、ピン形状の第１調節部材１２は第１調節部材１２’と１２’’（詳細図Ｃ）の２つのスロットの上端に存在する。
【００４８】
この場合、接触点１は高さを変えることができない（詳細図Ｅ）。
【００４９】
この結果、引出し２２の前方パネル２５は、その上方領域で家具枠体２６の方向へ移動される。
【００５０】
図７は、傾斜装置１０の高さ調節に関して最大にまで調節された第２位置を示している。この場合、引出し２２の前方パネル２５は接触点１によって家具枠体２６から最も離れるように旋回される。この場合、接触点２と３は第２最大位置（最高位置）にある。すなわち第２接触点２の場合は、第１調節部材１２’と１２’’のスロットの下方端部に存在する、ピン形状の第１調節部材１２によって達成される（詳細図Ｃ）。
【００５１】
２つの調節部材１３と１３’によって形成されている第３接触点３はくさび型の第２調節部材１３の上方端に存在する（詳細図D）。
【００５２】
３つの接触点１、２および３もまた平面でその最大位置に配置されている（詳細図CからＥには非図示）。このことは図６に示す３つの接触点１、２および３にも同様に適用される。
【００５３】
図８は家具２０（図示せず）の後方断面斜視図である。家具２０は、引出しレール２４を有するレールシステム２３が取り付けられた家具枠体２６を有する。そのような家具２０は、各引出し２２のための２つのレールシステム２３を有することは理解されようが、ここでは一つのレールシステム２３だけが図示されている。引出し２２は引出しレール２４上に配置されている。両側でその下側に、引出し２２は傾斜装置１０を有する（図８では一つの傾斜装置１０だけが図示されている）。傾斜装置１０は３つの接触点１、２および３を有しており、傾斜装置１０は、好適にはレールシステム２３の引出しレール２４の平坦な上側で、間隔をあけて支持されている。
【００５４】
この実施例では、最も後方の接触点２と中央の接触点３は高さが調節可能であり、これは第１接触点１にも同様に適用できることは理解されようが、この実施例では、前方接触点１は固定されている。水平に延伸する引出し２２は、それぞれの傾斜装置１０を有する２つの側面の設計形態の引出し２２によって、工具無しで、２つの駆動装置９（図示せず）によって、ガイドシステム２３の両側で高さ調節可能であり、前方パネル２５は、前方パネルの上方領域で、家具枠体２６の方向に移動するか、またはこれから離れるように移動する。
【００５５】
図９は従来技術による家具２０を示しており、家具２０は、家具枠体２６と引出し２５とを有する。この場合、家具枠体２６には引出しレール２４を備えたレールシステム２３が取り付けられている。そのようなレールシステム２３は両側で（図示せず）家具枠体に提供されていることは理解できよう。引出し２４はその上側に平面を有しており、それにより調節可能な傾斜装置１０（図示せず）は引出し２２またはその前方パネル２５を、家具２０の枠体２６に対して整合させることができる。
【００５６】
傾斜装置１０を備えた引出し２２は、従来技術に属する引出しレール２４に取り付けできる（後付けもできる）ので、既に存在する家具枠体の傾斜装置１０を備えた引出し２２への後付けも可能になる。
【００５７】
図１０は家具枠体２６と、前方パネル２５とを備えた３つの引出し２２を有する家具２０を示している。この場合、引出し２２の前方パネル２５は異なる形態で配置されている。最上の引出し２２またはその前方パネル２５は家具枠体２６に対して整合状態であるが、中央引出し２２と下方引出し２２は家具枠体２６に対してずれている。中央引出し２２またはその前方パネル２５は、上方領域が家具枠体２６から離れて傾斜し、下方引出し２２またはその前方パネル２５は、家具枠体２６側に傾斜している。引出し２２またはその前方パネル２５は傾斜装置１０（図示せず）で家具２０の枠体２６に整合させることができる。
【００５８】
本発明を実施例によって説明したが、本出願の主題はこれらの実施例に限定されない。むしろ、本発明の概念を実行するための方策や改変も考えられ、望まれることは自明であろう。
【図１】
2013518625.tif 000003
【図２】
2013518625.tif 000004
【図３】
2013518625.tif 000005
【図４】
2013518625.tif 000006
【図５】
2013518625.tif 000007
【図６】
2013518625.tif 000008
【図７】
2013518625.tif 000009
【図８】
2013518625.tif 000010
【図９】
2013518625.tif 000011
【図１０】
2013518625.tif 000012
【国際調査報告】
2013518625.tif 000013
2013518625.tif 000014
2013518625.tif 000015
2013518625.tif 000016
2013518625.tif 000017
2013518625.tif 000018